(57)【要約】      （修正有）【課題】注射器の使用後にカヌラをバレルの内部に収納することができ、かつ従来の注射器に比べて注射器内部の構成を簡略化することの可能な注射器の提供。【解決手段】注射器１は、筒状のバレル２と、該バレルの先端に保持されてカヌラ５を保持する内ハブ６と、上記内ハブ６をバレル２に保持する外ハブ７と、外ハブ７に回転可能に設けられて上記カヌラ５を収納するカバー８と、該カバー８に対して進退動可能に設けられた内ハブ押圧手段９とを備えている。  注射器の使用時には上記カバー８からカヌラ５を露出させ、注射器の使用後にはカヌラ５を再びカバー８に収容し、その状態から上記内ハブ押圧手段９を後退させてカヌラ５を後方に押圧移動させることで、内ハブ６が外ハブ７より離脱し、カヌラ５を内ハブ６ごとバレル２の内部に収納することができる。【効果】医療従事者の誤穿刺事故を防止でき、かつ注射器の内部構造を簡略化することができる。【選択図】図５
2008148944.tif 000002
【特許請求の範囲】
【請求項１】
筒状のバレルと、バレルの先端に設けられた筒状の外ハブと、外ハブ内に移動可能に設けられてカヌラを保持する内ハブと、上記外ハブに装着されて上記カヌラを収容するカバーと、該カバーに対して進退動可能に設けられた内ハブ押圧手段とを備え、
使用時には上記カバーからカヌラを露出させ、使用後には上記カヌラをカバー内に収容して、この状態から内ハブ押圧手段を後方に移動させることで、該内ハブ押圧手段により上記内ハブに後方への押圧力を作用させて上記外ハブから内ハブを離脱させ、カヌラを内ハブごとバレルの内部に収容することを特徴とする注射器。
【請求項２】
上記内ハブ押圧手段は、上記カバー内に設けられて上記内ハブを押圧する押圧部を備え、
上記押圧部の後部にカヌラの先端を収納する筒状のずれ防止部を設け、
注射器の使用後には、該ずれ防止部にカヌラの先端を収納するとともに、押圧部を後退させることでカヌラを介して内ハブに後方への押圧力が作用するようにしたことを特徴とする請求項１に記載の注射器。
【請求項３】
カヌラが内ハブごとバレルの内部に収容された際には、上記ずれ防止部が外ハブの先端に形成された開口部と相互に嵌合するようにしたことを特徴とする請求項２に記載の注射器。
【請求項４】
上記内ハブ押圧手段は、上記カバー内に設けられて上記内ハブを押圧する押圧部を備え、
上記押圧部は、上記カヌラを貫通させる貫通孔と、該貫通孔の周囲に形成されて、上記内ハブの先端に当接する突起とを備え、
注射器の使用後には、上記貫通孔にカヌラを挿入すると共に、押圧部を後退させることで上記突起によって内ハブに後方への押圧力を作用させるようにしたことを特徴とする請求項１に記載の注射器。
【請求項５】
上記突起によって内ハブを外ハブより離脱させることで、上記突起が外ハブの先端に形成された開口部と相互に嵌合するようにしたことを特徴とする請求項４に記載の注射器。
【請求項６】
上記内ハブ押圧手段は、上記カバーの外部に突出する操作部を備え、
上記押圧部が上記内ハブを押圧する状態において、上記操作部はカヌラの先端よりも後方に位置するように設けられていることを特徴とする請求項２ないし請求項５のいずれかに記載の注射器。
【請求項７】
上記カバーの側面には前後方向に向けてガイド溝が形成され、
上記内ハブ押圧手段には上記操作部と押圧部とを相互に結合すると共に上記ガイド溝に沿って進退動する結合部が設けられていることを特徴とする請求項６に記載の注射器。
【請求項８】
上記カバーと外ハブとは回転軸により相互に回転可能に軸支され、
注射器の使用前には上記カバー内にカヌラが収容され、使用時にはカバーを回転させてカヌラが露出するようにし、使用後にはカバーを回転させて該カバー内に再度カヌラが収容されてから、上記内ハブ押圧手段を後退させるようにしたことを特徴とする請求項１ないし請求項７のいずれかに記載の注射器。
【請求項９】
上記バレル内を進退動するプランジャと、プランジャの先端に連結されたガスケットとを備えるとともに、上記プランジャの中央に収納孔を形成し、上記内ハブ押圧手段によって内ハブが後退すると、上記内ハブの後端によりガスケットが貫通されて、内ハブが上記収納孔内に収納されるようにしたことを特徴とする請求項１ないし請求項８のいずれかに記載の注射器。
【請求項１０】
上記ガスケットにおいて、上記内ハブが貫通する部分は薄肉部となっていることを特徴とする請求項９に記載の注射器。
【請求項１１】
上記内ハブの後端に鋭角部を形成して、該鋭角部によりガスケットを貫通するようにしたことを特徴とする請求項９または請求項１０のいずれかに記載の注射器。
【請求項１２】
上記内ハブの外周面に第１突起を形成すると共に、外ハブの内周面に第２突起を形成して、使用時には上記第１突起が第２突起の前方から係合して内ハブの後退を阻止すると共に、使用後に上記内ハブ押圧手段によりカヌラが後方に押圧されると、上記第１突起が第２突起を乗り越えて、内ハブが外ハブより離脱するようにしたことを特徴とする請求項１ないし請求項１１のいずれかに記載の注射器。
【発明の詳細な説明】
【技術分野】
【０００１】
本発明は注射器に関し、詳しくは注射器の使用後にカヌラをバレルの内部に収納するようにした注射器に関する。
【背景技術】
【０００２】
従来、注射器の使用後にカヌラが医療従事者に刺さってしまう誤穿刺事故を防止するため、使用後にカヌラをバレルの内部に収納することの可能な注射器が用いられている。
このような注射器として、筒状のバレルと、該バレルの先端に保持機構により保持された内ハブと、内ハブの先端に固定されたカヌラと、バレル内を進退動するプランジャと、プランジャの先端に連結されたガスケットとを備え、上記プランジャの先端および内ハブの後端にそれぞれ係合手段および被係合手段を設けたものが知られている。（特許文献１，２）
この特許文献１、２の注射器においては、注射器の使用後に上記係合手段と被係合手段とを係合させてプランジャと内ハブとを連結し、上記プランジャを後退させることで、上記カヌラを内ハブごとバレルの内部に収納するようになっている。
【特許文献１】特開２００５−６５７０８号公報
【特許文献２】特表２００５−５１５８４７号公報
【発明の開示】
【発明が解決しようとする課題】
【０００３】
しかしながら特許文献１、２の注射器の場合、プランジャおよび内ハブにそれぞれ係合手段および被係合手段を設けなければならず、注射器の内部の構成が複雑となっていた。
このような問題に鑑み、本発明は注射器の使用後にカヌラをバレルの内部に収納することができ、かつ従来の注射器に比べて注射器内部の構成を簡略化することの可能な注射器を提供するものである。
【課題を解決するための手段】
【０００４】
すなわち、本発明にかかる注射器は、筒状のバレルと、バレルの先端に設けられた筒状の外ハブと、外ハブ内に移動可能に設けられてカヌラを保持する内ハブと、上記外ハブに装着されて上記カヌラを収容するカバーと、該カバーに対して進退動可能に設けられた内ハブ押圧手段とを備え、
使用時には上記カバーからカヌラを露出させ、使用後には上記カヌラをカバー内に収容して、この状態から内ハブ押圧手段を後方に移動させることで、該内ハブ押圧手段により上記内ハブに後方への押圧力を作用させて上記外ハブから内ハブを離脱させ、カヌラを内ハブごとバレルの内部に収容することを特徴としている。
【発明の効果】
【０００５】
上記発明によると、使用後に上記内ハブ押圧手段を後方に移動させることで、外ハブから内ハブを離脱させてカヌラを内ハブごとバレルの内部に収納することができるので、医療従事者の誤穿刺事故を防止することができる。
一方、上記内ハブ押圧手段はバレルの外部に位置しており、特許文献１、２のようにプランジャおよび内ハブに係合手段および被係合手段を設ける必要はないので、注射器内部の構造を簡略化することができる。
【発明を実施するための最良の形態】
【０００６】
以下図示実施例について説明すると、図１、図２は注射器１の側面図および平面図を示し、図３は図２におけるＩＩＩ―ＩＩＩ部の断面図を示している。以下、図示左方を注射器１の先端側または前方として説明する。
図１〜図３に示すように、上記注射器１は、血液や薬剤などを貯溜する筒状のバレル２と、該バレル２内を進退動するプランジャ３と、上記プランジャ３の先端に連結されて上記バレル２を液密を守った状態で進退動するガスケット４と、先端にカヌラ５の固定された内ハブ６と、バレル２の先端に設けられて上記内ハブ６をバレル２に保持する外ハブ７と、上記外ハブ７の先端に設けられて上記カヌラ５を収納するカバー８と、カバー８に対して進退動可能に設けられた内ハブ押圧手段９とから構成されている。
そして図１〜図３は注射器１の使用前の状態を示しており、図４は注射器１の使用時における先端側の側面図を示し、図５は使用後の注射器１についての断面図を示している。また図６〜図８は注射器１の所要部分の拡大図を示している。
これらの図に示すように、注射器１の使用前の状態においては、上記カバー８にカヌラ５が収納されて、カヌラ５の損傷等が防止されるようになっている。（図１〜図３）
次に注射器１の使用時には、上記カバー８を回転させて上記カヌラ５を露出させ、該カヌラ５を患者やバイアル等に穿刺して従来公知の注射器１と同様の操作を行うことができる。（図４）
そして注射器１の使用後には、上記カバー８を回転させて再びカヌラ５をカバー８に収容し、その状態から上記内ハブ押圧手段９を後退させることで、カヌラ５が後方に押圧されて上記外ハブ７から内ハブ６が離脱し、カヌラ５を内ハブ６ごとバレル２の内部に収納することができる。（図５）
【０００７】
上記バレル２は筒状の薬液室２ａと、薬液室２ａの前方に位置して上記外ハブ７の結合される結合部２ｂと、上記薬液室２ａの後端に設けられたバレル側フランジ２ｃとから構成されている。
図６に示すように、上記結合部２ｂの内周面は上記内ハブ６を収容可能な径で製造されており、結合部２ｂの外周面は先端に向けて縮径するテーパ形状を有している。
この結合部２ｂのテーパ形状はＩＳＯ（国際標準化機構）に準拠した形状となっており、本実施例の注射器１には一般的に用いられるバレル２をそのまま使用することが可能となっている。
【０００８】
上記プランジャ３は、先端に設けられて上記ガスケット４と連結する連結部３ａと、該連結部３ａの後方に設けられた断面十字型の補強用リブ３ｂと、該補強用リブ３ｂの後端に形成された押圧フランジ３ｃとから構成されている。
またプランジャ３の中央には上記連結部３ａの先端から上記補強用リブ３ｂの所要の位置にかけて、上記内ハブ６を収容可能な径で収納孔３ｄが設けられており、図５に示すように上記内ハブ６およびカヌラ５を収納できるようになっている。
【０００９】
上記ガスケット４は例えば天然ゴムまたはエラストマー等の弾力性を備えた樹脂からなり、上記バレル２の薬液室２ａを液密を保った状態で区画するとともに、上記プランジャ３と一体的に薬液室２ａ内を進退動するようになっている。
図６に示すように、上記ガスケット４にはプランジャ３の連結部３ａと相互に連結される連結部４ａと、中央に形成されて上記プランジャ３の収納孔３ｄと連通する空間４ｂとを備えている。
上記空間４ｂの先端側の壁面は薄肉部４ｃとなっており、プランジャ３の進退動によってバレル２の内圧等が変動しても破れないような厚さに設定されている。例えば本実施例における薄肉部４ｃの厚さは約０．１〜１ｍｍ程度に設定されており、好ましくは０．５〜０．７ｍｍに設定するのが望ましい。
【００１０】
上記内ハブ６は中空筒状となっており、その先端には上記カヌラ５が接着剤等により固定され、カヌラ５とバレルの薬液室２ａとを相互に連通させるようになっている。
内ハブ６の外周面には、その先端側から、前方に向けて縮径するテーパ形状６ａと、該テーパ形状６ａの後方に形成された同一径からなるストレート部６ｂと、該ストレート部６ｂの所要の位置から外周側に向けて膨出する第１突起６ｃとが形成されている。
さらに上記第１突起６ｃのさらに後方には、カヌラ５を挟んで対向する位置に２本のステー６ｄが設けられ、該２本のステー６ｄは後端位置で一体に結合されるとともに、後方に向けて鋭角部６ｅが形成されている。
上記２本のステー６ｄの間に形成された空間により、カヌラ５と薬液室２ａとが相互に連通するようになっており、また上記鋭角部６ｅを上記ガスケット４の薄肉部４ｃに当接させることで、薄肉部４ｃを突き破ることができるようになっている。
なお、上記ガスケット４の薄肉部４ｃを確実に貫通できる場合等には、上記ステー６ｄの後端の形状を、上記鋭角部６ｅに代えて所要の形状とすることが可能である。
【００１１】
上記外ハブ７は中空筒状となっており、外ハブ７の内周面前方には上記内ハブ６を保持する内ハブ連結部７ａが形成され、その後方には上記バレル２の結合部２ｂに連結されるバレル連結部７ｂが形成されている。
上記内ハブ連結部７ａには上記内ハブ６のテーパ形状６ａと同テーパのテーパ形状７ｃと、その後方に位置して上記ストレート部６ｂと同径のストレート部７ｄと、当該ストレート部７ｄの後方に形成されて上記第１突起６ｃと相互に係合する第２突起７ｅとが形成されている。
上記外ハブ７によって内ハブ６を保持すると、上記テーパ形状６ａとテーパ形状７ｃとが相互に密着して嵌合し、またストレート部６ｂとストレート部７ｄとが相互に密着して嵌合し、さらに第２突起７ｅの前方に第１突起６ｃが係合するようになっている。
これらの形状により、内ハブ６に作用する後方への押圧力に対向して内ハブ６が後退するのを阻止することができ、また外ハブ７と内ハブ６とは液密を保った状態に保持されてバレル２内の薬液等の漏出が防止されるようになっている。
一方、外ハブ７によって内ハブ６が保持された状態から、内ハブ６に後方に向かう力を作用させると、上記テーパ形状６ａ、７ｃおよびストレート部６ｂ、７ｄの嵌合状態が解除され、また第１突起６ｃが第２突起７ｅを乗り越え、内ハブ６が外ハブ７より離脱するようになっている。
【００１２】
次に、上記バレル連結部７ｂは上記バレル２の結合部２ｂの外周面と同テーパのテーパ形状を有しており、バレル連結部７ｂに結合部２ｂを挿入すると、外ハブ７とバレル２とが相互に密着して連結されることとなる。
このように、上記バレル連結部７ｂの内周面は上記バレル２の結合部２ｂと同テーパのテーパ形状に加工されていることから、上記外ハブ７および内ハブ６をＩＳＯに準拠した多様なバレル２に装着することができるようになっている。
また、上記外ハブ７によって内ハブ６が保持されると、内ハブ６の先端が上記内ハブ連結部７ａの先端から突出するようになっている。
注射器１の製造時には、最初に内ハブ６を外ハブ７の後方より挿入して相互に連結し、その後内ハブ６にカヌラ５を装着するようになっており、このとき内ハブ６の先端が上記内ハブ連結部７ａの先端より突出していることから、カヌラ５を内ハブ６の先端開口部に挿入しやすくなっている。
なお、必ずしも上記内ハブ６の先端を上記内ハブ連結部７ａの先端から突出させる必要はなく、また注射器１の製造時において、内ハブ６にカヌラ５を装着してから、上記内ハブ６と外ハブ７とを連結するようにしてもよい。但しこの場合には、カヌラ５の切先が外ハブ７に接触してしまうと、切先がマクレることがあるので留意しなければならない。
さらに、内ハブ６と外ハブ７とを相互に連結すると、上記内ハブ６の後端に位置する鋭角部６ｅは上記バレル連結部７ｂの後端よりも前方に位置するようになっており、上記鋭角部６ｅが作業者に刺さる製造時の事故を防止するようになっている。
【００１３】
上記カバー８は、先端に設けられた有底筒状の収納部８ａと、後端に設けられて上記外ハブ７を挟むように設けられた軸支部８ｂと、これら収納部８ａと軸支部８ｂとの間に設けられた断面半円状の保護部８ｃとから構成されている。
上記収納部８ａには上記内ハブ押圧手段９の押圧部９ａが収納されるようになっており、注射器１の使用前や使用時においては、上記押圧部９ａが収納部８ａから脱落しないように保持するようになっている。
上記外ハブ７には、図２に示すように中心軸を挟んで対向する位置に２つの回転軸１０が設けられており、上記軸支部８ｂはこの２本の回転軸１０にそれぞれ軸支されて、カバー８全体を回転軸１０を中心に回転させるようになっている。
図７は上記回転軸１０および軸支部８ｂ周辺の拡大図を示し、上記回転軸１０の所要の位置には位置決めリブ１０ａが設けられると共に、上記軸支部８ｂには上記位置決めリブ１０ａが摺動可能な拡径部８ｄが形成されている。
上記カバー８を回転軸１０を中心に回転させると、上記位置決めリブ１０ａは拡径部８ｄ内で摺動し、実線で示すように上記収納部８ａの中心とカヌラ５の中心とが一致すると、上記拡径部８ｄの終端部が位置決めリブ１０ａに当接して、これ以上のカバー８の回転が規制されるようになっている。
また図１に示すように、上記保護部８ｃはカバー８内にカヌラ５を収容したときに該カヌラ５に干渉しない長さで製造されており、また保護部８ｃには図２、図３に示すように前後方向にむけてガイド溝８ｅが形成されている。
【００１４】
上記内ハブ押圧手段９は、注射器１の使用後には上記カヌラ５の先端に当接してカヌラ５を後方に押圧する押圧部９ａと、上記カバー８の外部に突出するように設けられると共に医療従事者によって操作される操作部９ｂと、これら押圧部９ａと操作部９ｂとを結合すると共に、上記カバー８のガイド溝８ｅに沿って進退動する結合部９ｃとから構成されている。
上記押圧部９ａは上記カバー８の収納部８ａに収納される略円盤形状を有すると共に、該押圧部９ａの後部には円筒状のずれ防止部９ｄが形成されており、注射器１の使用後には、カヌラ５の先端を当該ずれ防止部９ｄ内に収納するようになっている。
また、押圧部９ａにおけるずれ防止部９ｄの周囲にはシリコンゲルやエラストマー等の弾性を有する樹脂が塗布され（図示せず）、仮にカヌラ５の先端が上記ずれ防止部９ｄ内に収容されなかった場合であっても、当該樹脂にカヌラ５が刺さるため、カヌラ５のずれを防止することができる。
上記ずれ防止部９ｄの外径は、上記外ハブ７におけるテーパ形状７ｃの先端部の開口部と略同径に製造されており、注射器１の使用後に内ハブ押圧手段９を後退させると、ずれ防止部９ｄが外ハブ７の先端に嵌合して、カヌラ５が再露出するのを防止すると共に、内ハブ押圧手段９と外ハブ７との間がシールされるようになっている。
上記操作部９ｂは、注射器１の使用前および注射器１の使用後において、常時カヌラ５の先端よりも後方に位置するように設けられている。これにより、医療従事者が操作部９ｂを後退させた際にカヌラ５が上記ずれ防止部９ｄから脱落しても、カヌラ５が医療従事者に刺さらないようになっている。
上記結合部９ｃは図２に示すようにカバー８のガイド溝８ｅと略同じ幅で製造されており、該結合部９ｃの後端に位置する操作部９ｂを医療従事者が後方に移動させるとこれに伴って後退し、また上記押圧部９ａを後方に移動させるようになっている。
そして図８に示すように、上記ガイド溝８ｅには後方に平坦面の形成された突起８ｆが複数連続するように形成され、また上記結合部９ｃの上記突起８ｆ側には、前方に向けて広がる係合突起９ｅが設けられている。
上記係合突起９ｅは結合部９ｃ側に弾性変形するようになっており、結合部９ｃを後方に移動させると、係合突起９ｅは弾性変形しながら突起８ｆを乗り越えるようになっている。
一方結合部９ｃを前方に移動させようとしても、係合突起９ｅと上記突起８ｆの平坦面とが相互に係合するため、結合部９ｃをそれ以上前方に移動させることができないようになっている。
【００１５】
以上の構成を有する注射器１の使用方法について説明する。
使用前の状態としては、図１〜図３に示すように上記カバー８が回転して上記カヌラ５がカバー８内に収納されるようになっており、収納部８ａおよび保護部８ｃによって注射器１の搬送中におけるカヌラ５の損傷が防止されるようになっている。
この使用前の状態では、内ハブ押圧手段９の押圧部９ａは上記カバー８の収納部８ａに嵌合しており、内ハブ押圧手段９がカバー８に対して相対的に後退しないようになっている。
次に注射器１の使用時には、図４に示すように上記カバー８を回転軸１０を中心に回転させてカヌラ５を露出させ、これによりカヌラ５を患者やバイアル等に穿刺することができる。
このとき、カバー８を回転軸１０を中心に想像線の位置まで回転させることができ、カバー８によって医療従事者の作業が邪魔されることはなく、従来の注射器と同じようにプランジャ３等の操作を行い注射器１を使用することができる。
【００１６】
注射器１の使用が終了したら、医療従事者はカバー８を回転させて図３に示すようにカヌラ５を再びカバー８内に収容する。
このときカヌラ５の誤穿刺を防止するため、医療従事者はカバー８を保持してカバー８を回転させるのではなく、バレル２や外ハブ７を保持したまま、カバー８の先端を机などに当接させて、カバー８を回転させるようにするのが望ましい。
カバー８を回転させることで、図７に示すようにカバー８の上記拡径部８ｄは回転軸１０の位置決めリブ１０ａと摺動しながら回転し、カバー８の収納部８ａの中心とカヌラ５の中心とが一致すると、拡径部８ｄの終端部が位置決めリブ１０ａに当接し、カバー８の回転が規制される。
【００１７】
次に、医療従事者はプランジャ３を前進させてガスケット４をバレル２内における前進端へと位置させると共に、内ハブ押圧手段９の操作部９ｂを後方に向けて移動させ、カヌラ５の先端をずれ防止部９ｄに収納する。
このとき、カバー８の収納部８ａの中心とカヌラ５の中心とは上記位置決めリブ１０ａによって一致していることから、医療従事者はカヌラ５の先端がずれ防止部９ｄに収納されるのを確認する必要はない。
なお、仮にカヌラ５の先端がずれ防止部９ｄに収納されない場合には、上記押圧部９ａには樹脂が塗布されているため、該樹脂にカヌラ５が突き刺さることにより、カヌラ５がずれて上記押圧部９ａより脱落することはない。
【００１８】
このようにしてカヌラ５の先端がずれ防止部９ｄに収納されて、押圧部９ａがカヌラ５の先端に当接したら、医療従事者はさらに操作部９ｂを後退させ、押圧部９ａによりカヌラ５に後方への押圧力を作用させる。
すると、カヌラ５を介して内ハブ６に後方への押圧力が作用するようになり、その結果内ハブ６の第１突起６ｃが外ハブ７の第２突起７ｅを乗り越え、内ハブ６が外ハブ７より離脱する。
その後さらに操作部９ｂを後退させると、内ハブ６の後端に形成された鋭角部６ｅがガスケット４先端の薄肉部４ｃに当接し、さらに該鋭角部６ｅによって薄肉部４ｃを突き破ることで、ガスケット４が内ハブ６によって貫通される。
内ハブ６によってガスケット４が貫通されると、内ハブ６は上記プランジャ３内に形成された収納孔３ｄ内に収納されるようになり、カヌラ５および内ハブ６がバレル２およびプランジャ３の内部に収納されることとなる。
また医療従事者がさらに操作部９ｂを後退させ、押圧部９ａのずれ防止部９ｄを外ハブ７の開口部に嵌合させることで、バレル２の内部に収納されたカヌラ２が再び外部に露出するのが防止され、またバレル２の内部に残留する血液や薬剤が外部に飛散するのが防止される。
さらに、上記カバー８のガイド溝８ｅおよび内ハブ押圧手段９の結合部９ｃには、それぞれ突起８ｆおよび係合突起９ｅが設けられており、突起８ｆと係合突起９ｅとが相互に係合することで内ハブ押圧手段９の前進が妨げられるので、ずれ防止部９ｄが外ハブ７の開口部に嵌合した状態を維持することができる。
【００１９】
以上のように、本実施例の注射器１によれば、内ハブ押圧手段９によりカヌラ５を後方に押圧移動させることで、内ハブ６を外ハブ７より離脱させ、カヌラ５を内ハブ６ごとバレル２およびプランジャ３の内部に収納することができる。
また上記内ハブ押圧手段９は注射器１の外部に設けられているため、プランジャ３および内ハブ６に係合手段と被係合手段を設ける必要はなく、注射器１の内部の構成を簡略化することができる。
【００２０】
次に、本発明にかかる注射器の第２実施例について図９、図１０を用いて説明する。なお以下に述べる以外の事項については、基本的に上記第１実施例と同様であり、以下の説明において第１実施例と同じ部材についてはこれらの各部材の符号に１００を加算して説明する。
図９は注射器１０１の使用後の状態であって、外ハブ１０６と内ハブ１０７とが離脱する直前の状態を示し、図１０は内ハブ１０６と外ハブ１０７とが離脱してカヌラ１０５が内ハブ１０６ごとバレル１０２内に収納された状態を示している。
本実施例におけるプランジャ１０３には、第１実施例における収納孔３ｄは形成されておらず、またガスケット１０４には第１実施例における空間４ｂおよび薄肉部４ｃは形成されていない。
このため本実施例では図１０に示すように、注射器１０１の使用後にはプランジャ１０３をバレル１０２の後方に移動させた状態で、外ハブ１０７から内ハブ１０６を離脱させるようになっている。
【００２１】
次に、内ハブ１０６と外ハブ１０７との間には、ばね１１１が弾装されており、当該ばね１１１によって内ハブ１０６は後方への付勢力が作用している。具体的には、内ハブ１０６および外ハブ１０７におけるストレート部１０６ｂ、１０７ｄに上記ばね１１１を弾装するばね受け部１０６ｆ、１０７ｆを形成したものとなっている。
上記ばね１１１は図１０に示すように自然長になると上記カヌラ１０５の先端よりも突出する長さにまで進展するようになっており、これによりカヌラ１０５が外ハブ１０７より露出しようとしても、ばね１１１の弾性力によって阻止されることとなる。
なお、内ハブ１０６および外ハブ１０７にはテーパ形状１０６ａ、１０７ｃ、ストレート部１０６ｂ、１０７ｄ、第１、第２突起１０６ｃ、１０７ｅがそれぞれ形成されているため、内ハブ１０６と外ハブ１０７との嵌合状態が維持されると共に、バレル内の薬液等の漏出も防止される。
【００２２】
次に、上記カヌラ押圧手段１０９の押圧部１０９ａには、第１実施例におけるずれ防止部９ｄに代えて、前後方向に形成された貫通孔１０９ｅと、押圧部１０９ａの後部に形成されて上記貫通孔１０９ｅを囲繞するように形成された環状突起１０９ｆとを備えている。
上記貫通孔１０９ｅは図９に示すようにカヌラ１０５が貫通するような径で製造されており、カバー１０８を回転軸１１０を中心に回転させて、回転軸１１０の位置決めリブ１１０ａが軸支部１０８の拡径部１０８ｄと当接すると、該貫通孔１０９ｅの中心とカヌラ１０５の中心とが一致するようになっている。
上記環状突起１０９ｆはその内径が上記貫通孔１０９ｅと同径となっており、また外径は上記外ハブ１０７の先端の開口部の径と同径になっている。
このため、カヌラ押圧手段１０９を後退させると、環状突起１０９ｆの先端でカヌラ５を保持する内ハブ１０６の先端を押圧して、その後環状突起１０９ｆを外ハブ１０７の開口部に挿入することができるようになっている。
そして環状突起１０９ｆで内ハブ１０６の先端を押圧することにより、内ハブ１０６には後方への押圧力が作用することとなり、その結果内ハブ１０６の第１突起１０６ｃが外ハブ１０７の第２突起１０７ｅを乗り越え、内ハブ１０６が外ハブ１０７より離脱するようになっている。
【００２３】
以上の構成を有する注射器１０１の使用方法について説明する。なお使用前から使用中における状態については上記実施例と同様の使用方法であるので、ここでは注射器１０１の使用後の使用方法について説明する。
まず注射器１０１の使用が終了したら、第１実施例同様、医療従事者はカバー１０８を回転させてカヌラ１０５をカバー１０８内に収容する。
次に、医療従事者はプランジャ１０３を後退させて図１０に示すようにガスケット１０４をバレル１０２内における後退端へと位置させ、さらに内ハブ押圧手段１０９の操作部１０９ｂを後方に向けて移動させる。
その結果、カヌラ１０５が貫通孔１０９ｅを通過し、その後上記環状突起１０９ｆと内ハブ１０６の先端とが当接したら（図９参照）、さらに操作部１０９ｂに後方へ押圧力を作用させることで、内ハブ１０６に後方への押圧力が作用する。
この押圧力によって内ハブ１０６の第１突起１０６ｃが外ハブ１０７の第２突起１０７ｅを乗り越え、さらに外ハブ１０７と内ハブ１０６との間に弾装されていたばね１１１の弾性力により、内ハブ１０７は後方へと移動し、カヌラ１０５は内ハブ１０６ごとバレル１０２内に収納されることとなる。
【００２４】
なお、上記第１、第２実施例におけるカバー８、１０８は、外ハブ７、１０７に対して着脱可能としても良い。
例えば、上記外ハブ７、１０７にリング状の部材を着脱自在に装着するとともに、該リング状の部材に上記回転軸１０、１１０を設け、上記カバー８、１０８の軸支部８ｂ、１０８ｂを該回転軸１０、１１０に軸支させればよい。
また他の例として、上記外ハブ７、１０７から回転軸１０、１１０を省略するとともに、上記カバー８、１０８の保護部８ｃ、１０８ｃを上記リング状の部材と直接連結した構成とすることが考えられる。
この場合、注射器１、１０１の使用後にカバー８、１０８をカヌラ５、１０５の前方から装着することで、上記実施例同様、内ハブ押圧手段９、１０９を後退させれば、カヌラ５、１０５を内ハブ６、１０６ごとバレル２、１０２の内部に収納することができる。またこの場合上記保護部８ｃ、１０８ｃを略筒状とすれば、カヌラ５、１０５の全周を保護することが可能となる。
【００２５】
また上記第１実施例の注射器１においても、第２実施例の注射器１０１同様、プランジャ３およびガスケット４に収納孔３ｄや薄肉部４ｃの形成されていないものを利用することが可能である。
この場合、注射器１の使用後にはプランジャをバレル２の後退端まで移動させ、その状態から内ハブ押圧手段９を後退させることで、バレル２内にカヌラ５ごと内ハブ６を収納することができる。
また上記第１実施例では収納孔３ｄ内にカヌラ５および内ハブ６の全体が収納されているが、カヌラ５と内ハブの長さが収納孔３ｄよりも長い場合には、予めプランジャ３を所要の距離だけ後退させ、それから内ハブ押圧手段９を後退させることで、カヌラ５の先端までバレル２の内部に収納することができる。
なお、カヌラ５の先端まで完全にバレル２の内部に収納できなくとも、上記押圧部９ａのずれ防止部９ｄによりカヌラ５の先端が露出しないようになっているので、カヌラ５が医療従事者に刺さってしまうのを防止することができる。
【図面の簡単な説明】
【００２６】
【図１】本実施例にかかる注射器の側面図。
【図２】図１に示す注射器についての平面図。
【図３】図１におけるＩＩＩ―ＩＩＩ部の断面図。
【図４】注射器の使用時の状態を示す側面図。
【図５】注射器の使用後の状態を示す断面図。
【図６】図３に示す注射器についての拡大断面図。
【図７】回転軸周辺についての拡大図。
【図８】内ハブ押圧手段の結合部周辺についての拡大図。
【図９】第２実施例にかかる注射器の拡大断面図。
【図１０】第２実施例にかかる注射器の断面図。
【符号の説明】
【００２７】
１、１０１  注射器              ２、１０２  バレル
３、１０３  プランジャ          ４、１０４  ガスケット
５、１０５  カヌラ              ６、１０６  内ハブ
７、１０７  外ハブ              ８、１０８  カバー
９、１０９  内ハブ押圧手段      １０、１１０  回転軸
【図１】
2008148944.tif 000003
【図２】
2008148944.tif 000004
【図３】
2008148944.tif 000005
【図４】
2008148944.tif 000006
【図５】
2008148944.tif 000007
【図６】
2008148944.tif 000008
【図７】
2008148944.tif 000009
【図８】
2008148944.tif 000010
【図９】
2008148944.tif 000011
【図１０】
2008148944.tif 000012